(57)【要約】    【課題】  気密容器の包囲部内の最冷部温度が高くて、しかも温度差が少なくてランプ特性および信頼性が良好なショートアーク形水銀ランプを提供する。    【解決手段】  ショートアーク形水銀ランプＳＨＬは、放電空間１ｃを包囲する包囲部１ａおよびこの包囲部の両端から延在する一対の封止部１ｂを有する紫外線透過性の気密容器１と、前記気密容器１に封装され管軸方向に沿って前記包囲部１ｂ内に突出して離間対向する陰極２Ｋおよび陽極２Ａと、前記気密容器１内に封入された水銀および希ガスを含む放電媒体とを具備し、前記包囲部１ａの管軸方向の長さをＬ１とし、前記陰極２Ｋおよび陽極２Ａの間に位置する電極間中心Ｐと前記包囲部１ａ内面における陰極２Ｋの端部との間の距離をＬ２としたとき、数式：０．０７≦｛Ｌ２−（Ｌ１／２）｝／（Ｌ１／２）＜０．２を満足する。【選択図】    図２
2007250229.tif 000002
【特許請求の範囲】
【請求項１】
放電空間を包囲する包囲部およびこの包囲部の両端から延在する一対の封止部を有する紫外線透過性の気密容器と；
前記気密容器に封装され管軸方向に沿って前記包囲部内に突出して離間対向する陰極および陽極と；
前記気密容器内に封入された水銀および希ガスを含む放電媒体と；
を具備し、
前記包囲部の管軸方向の長さをＬ１とし、前記陰極および陽極の間に位置する電極間中心と前記包囲部内面における陰極の端部との間の距離をＬ２としたとき、数式：０．０７≦｛Ｌ２−（Ｌ１／２）｝／（Ｌ１／２）＜０．２を満足することを特徴とするショートアーク形水銀ランプ。
【発明の詳細な説明】
【技術分野】
【０００１】
本発明は、紫外線照射装置の光源として好適なショートアーク形水銀ランプに関する。
【背景技術】
【０００２】
放電空間を包囲する包囲部およびこの包囲部の両端から延在する一対の封止部を有する紫外線透過性の気密容器と、前記気密容器に封装され管軸方向に沿って前記包囲部内に突出して離間対向する陰極および陽極と、前記気密容器内に封入された水銀および希ガスを含む放電媒体とを具備したショートアーク形水銀ランプは既知である（例えば、特許文献１参照。）。この種のショートアーク形水銀ランプは、主として紫外線照射装置の光源として使用される。紫外線照射装置の性能向上のためには、この種の光源のランプ特性および信頼性を向上させる必要がある。
【０００３】
【特許文献１】特開平０７−２２６１８７号公報
【発明の開示】
【発明が解決しようとする課題】
【０００４】
ショートアーク形水銀ランプのランプ特性および信頼性を向上させるには、気密容器の包囲部内の最冷部温度が高くて、しかも温度差が少なくなるようにするのがよい。
【０００５】
ところが、従来のショートアーク形水銀ランプは、ランプ特性および信頼性の点で必ずしも要求に応えることができなかった。
【０００６】
本発明は、気密容器の包囲部内の最冷部温度が高くて、しかも温度差が少なくてランプ特性および信頼性が良好なショートアーク形水銀ランプを提供することを目的とする。
【課題を解決するための手段】
【０００７】
本発明のショートアーク形水銀ランプは、放電空間を包囲する包囲部およびこの包囲部の両端から延在する一対の封止部を有する紫外線透過性の気密容器と；前記気密容器に封装され管軸方向に沿って前記包囲部内に突出して離間対向する陰極および陽極と；前記気密容器内に封入された水銀および希ガスを含む放電媒体と；を具備し、前記包囲部の管軸方向の長さをＬ１とし、前記陰極および陽極の間に位置する電極間中心と前記包囲部内面における陰極の端部との間の距離をＬ２としたとき、数式：０．０７≦｛Ｌ２−（Ｌ１／２）｝／（Ｌ１／２）＜０．２を満足することを特徴としている。
【発明の効果】
【０００８】
本発明によれば、気密容器の包囲部に対する電極オフセット率を所定範囲内に規定したことにより、気密容器の包囲部内の最冷部温度が高くて、しかも上下部分間の温度差が少なくなり、ランプ特性および信頼性が向上したショートアーク形水銀ランプを提供することができる。
【発明を実施するための最良の形態】
【０００９】
以下、図面を参照して本発明を実施するための形態を説明する。
【００１０】
図１および図２は、本発明のショートアーク形水銀ランプを実施するための一形態を示し、図１は正面図、図２は電極オフセット率の模式的説明図である。
【００１１】
本発明のショートアーク形水銀ランプＳＨＬは、気密容器１、陰極２Ｋ、陽極２Ａおよび放電媒体を具備した直流点灯形式のものである。なお、図中、符号３、４は外部リード構体、５は陰極保温膜、６は陽極保温膜、７はトリガーワイヤである。これらの構成は後述するように所望に応じて適宜付加される。
【００１２】
気密容器１は、少なくとも主要部が紫外線透過性であり、例えば石英ガラスなどから形成されている。そして、包囲部１ａおよび一対の封止部１ｂ、１ｂを備えている。包囲部１ａの内部には放電空間１ｃが形成されている。また、包囲部１ａは、適宜の形状であることが許容されるが、例えば管軸方向に長い紡錘形状をなしている。一対の封止部１ｂ、１ｂは、包囲部１ａの管軸方向の両端から管軸方向へ延在しており、気密容器１を気密に封止するとともに、後述する陰極２Ｋおよび陽極２Ａを支持して、放電空間１ｃ内に封装するのに寄与している。
【００１３】
さらに詳述すれば、気密容器１が石英ガラスからなる場合、封止部１ｂは、その内部に例えば封着金属箔（図示しない。）を気密に埋設している。なお、封着金属箔は、例えばモリブデン箔からなり、所要の電流容量を得るために、１枚または並列状態で複数枚、例えば２枚が電極の基端部に溶接される。
【００１４】
陰極２Ｋおよび陽極２Ａは、耐火性で導電性の金属、例えばタングステン（Ｗ）、レニウム（Ｒｅ）またはタングステン−レニウム合金などからなる。また、上記陰極２Ｋおよび陽極２Ａは、ショートアーク形式の放電がそれら電極間に生起するように包囲部１ａの内径より小さい電極間距離、例えば２ｍｍとなるようにそれぞれ先端が管軸上において離間対向して配置されている。
【００１５】
陰極２Ｋは、ランプ点灯中に流入するイオン電流が小さいので、既知のように相対的に小径である。そして、安定点灯中における陰極スポット位置の安定を図るために、既知のように先端部が先細に成形されている。さらに、所望により、陰極２Ｋの先端部から適当な距離だけ後退した位置に、電子放射性物質をドープするなどして電子放射性を有する耐火性金属の細線を陰極軸部に巻装して形成したコイル部Ｃｋが配設されている。このコイル部Ｃｋを備えることにより、始動時にのみ陰極スポットが上記コイル部Ｃに形成され、適当な時間遅れの後に陰極２Ｋの先端部に転移するように構成することが可能になる。これによって陰極２Ｋの損耗を低減することができる。なお、陰極２Ｋおよびコイル部Ｃｋの構成金属としては、例えばトリア、アルミナ、マグネシア、ジルコニアなどの電子放射性物質をドープした前記耐火性金属を用いることができる。
【００１６】
これに対して、陽極２Ａは、ランプ点灯中に流入する電子電流が大きいので、放熱を促進するために既知のように先端部を大径にして表面積が大きくなるように構成されている。
【００１７】
また、本発明のショートアーク形水銀放電ランプＳＨＬは、その陰極２Ｋが上側に位置し、陽極２Ａが陰極２Ｂの下側に位置する垂直状態で点灯される。これに加えて、電極間距離Ｇの中心Ｐが包囲部１ａの管軸方向における長さの中心位置より陽極２Ａ側へ所定距離の範囲内で変位して位置するように構成されている。
【００１８】
すなわち、図２に示すように、気密容器１における包囲部１ａの管軸方向の長さをＬ１とし、電極間距離Ｇの中心Ｐと包囲部１ａ内面から放電空間１ｃの内面における陰極２Ｋの端部との間の距離をＬ２としたとき、数式：０．０７≦｛Ｌ２−（Ｌ１／２）｝／（Ｌ１／２）＜０．２を満足するように構成されている。なお、上記数式において、｛Ｌ２−（Ｌ１／２）｝／（Ｌ１／２）は、電極オフセット率を表している。また、包囲部１ａの管軸方向の長さは、包囲部１ａと封止部１ｂとの間の接続部の外面が一般的には小さな凹曲アールの部分になっているように外面の形状線の変化率が大きくなっている部位を境界として計測するものとする。
【００１９】
そうして、上記電極オフセット率が上記数式を満足することにより、ショートアーク形水銀ランプは、本発明の所期の効果を奏することができる。
【００２０】
これに対して、電極オフセット率が０．０７以下になると、気密容器１の包囲部１ａの上下部分における点灯中の温度差が大きくなりすぎて包囲部１ａの温度バランスが悪くなるとともに、最冷部温度が低下してしまうので、不可である。なお、電極オフセット率が０およびマイナス数値になると上記の傾向が一層強まるので、やはり不可である。他方、電極オフセット率が０．２以上になると、陽極２Ａが包囲部１ａの内面に接近しすぎてしまい、そのために陽極２Ａの気密容器１への封装が困難になるので、不可である。
【００２１】
放電媒体は、水銀および希ガスを主体として構成されている。なお、水銀は、点灯時に蒸発して例えば数十気圧となるような超高圧水銀蒸気状態を呈する。希ガスは、例えばアルゴンガスからなり、始動ガスおよび緩衝ガスとして作用する。
【００２２】
外部リード構体３、４は、陰極２Ｋおよび陽極２Ａを点灯回路に接続して受電するための接続手段である。また、ショートアーク形水銀ランプＳＨＬを紫外線照射装置の内部に装着する際に、取付手段として外部リード構体３、４を利用することができる。この場合、外部リード構体３、４は、図示のような口金構造を採用することができる。この口金構造部分を所定の位置に定置されたランプソケット（図示しない。）に装着することでショートアーク形水銀ランプＳＨＬを紫外線照射装置などの組込み機器の内部に取り付けることができる。
【００２３】
さらに詳述すれば、外部リード構体３の口金部分３ａから図２において右側へ突出しているボルト部分３ｂを、いずれも図示しないナットを用いてランプソケットに支持することによって、ショートアーク形水銀ランプＳＨＬを紫外線照射装置などの内部に装着することができる。また、同時に点灯回路の出力端の負極側に接続するように構成されている。
【００２４】
他方、外部リード構体４は、口金部分４ａから外部へ延在する可とう性の被覆導体４ｂを備えている。なお、被覆導体４ｂの先端には、接続端子４ｃが配設されている。
【００２５】
さらに、外部リード構体３、４は、図示しないが、それらの一端が封止部１ｂ、１ｂ内に延在して封着金属箔に溶接されている。
【００２６】
以上説明したショートアーク形水銀ランプＳＨＬは、点灯すると透光性気密容器１の内部に超高圧水銀蒸気放電が生起して主として波長３６５ｎｍの紫外線を発生する。
【００２７】
ショートアーク形水銀ランプＳＨＬは、上述した基幹的な構造に加えて、所望により以下の構成を付加することが許容される。
【００２８】
１．（陰極保温膜５について）    陰極保温膜５は、陰極２Ｋに水銀が付着するのを防止するために陰極２Ｋを保温する手段である。そして、例えば主として陰極２Ｋ側の封止部の外面に形成された白金、金などの塗付膜などからなる。なお、陰極２Ｋに水銀が付着すると、始動電圧過昇や点灯不良を生じやすくなる。
【００２９】
２．（陽極保温膜６について）    陽極保温膜６は、気密容器１の温度上昇を早めるための手段である。そして、例えば陽極２Ａの主として基端部分に対向する気密容器１の外面に形成された白金、金などの塗付膜などからなる。なお、気密容器１の温度上昇を早めることで光束立ち上がりが速くなる。
【００３０】
３．（排気チップオフ部保温膜について）    排気チップオフ部保温膜は、図示を省略しているが、排気チップオフ部の外面に形成される。排気チップオフ部は、包囲部１ａの側面に配設されて包囲部の内部を排気し、かつ放電媒体を封入するための排気管を封じ切った後に形成される。ところが、排気チップオフ部は、包囲部１ａから外部へ突出しているために、冷却されやすくて包囲部１ａの温度低下をもたらすので、排気チップオフ部保温膜により排気チップオフ部を保温する。なお、保温膜は、白金、金などの塗付膜などによって形成することができる。
【００３１】
４．（トリガーワイヤ７について）    トリガーワイヤ７は、始動時に電極近傍の電位傾度を大きくしてショートアーク形水銀ランプＳＨＬの始動性を良好にするための手段である。そして、例えば基端が陰極２Ｋ側の外部リード構体３に接続し、中間が包囲部１ａの外面に近接して延在し、先端が陽極２Ａ側の封止部１ｂの包囲部１ａに隣接する部位に巻き付けられている。
【００３２】
図３は、ショートアーク形水銀ランプにおける電極オフセット率の変化と紫外線の照度維持率の関係を測定した結果を示すグラフである。図において、横軸は点灯時間（ｈ）を、縦軸は紫外線の照度維持率（％）を、それぞれ示す。図中の複数の曲線は、以下のとおりである。なお、測定は、電極オフセット率の異なる以外は、同一仕様（定格ランプ電力２５０Ｗ、包囲部の長さ２５ｍｍ、電極間距離２ｍｍ）のショートアーク形水銀ランプを試作して行った。
【００３３】
曲線Ａ（測定値が▲で示されている）：電極オフセット率０．０７の場合
曲線Ｂ（測定値が大きな■で示されている）：電極オフセット率０．２の場合
曲線Ｃ（測定値が◆で示されている）：電極オフセット率０の場合
曲線Ｄ（測定値が小さな■で示されている）：電極オフセット率−０．０６の場合
図３から理解できるように、電極オフセット率０．０７および０．２であれば、紫外線の照度維持率が電極オフセット率０および−０．０６の場合に比較して明らかに良好である。なお、図示を省略しているが、電極オフセット率０．０７および０．２の中間の値についても試作して測定したが、電極オフセット率０および−０．０６の場合より照度維持率が良好であった。
【図面の簡単な説明】
【００３４】
【図１】本発明のショートアーク形水銀ランプを実施するための一形態を示す正面図
【図２】同じく電極オフセット率の模式的説明図
【図３】ショートアーク形水銀ランプにおける電極オフセット率の変化と紫外線の照度維持率の関係を測定した結果を示すグラフ
【符号の説明】
【００３５】
１…気密容器、１ａ…包囲部、１ｂ…封止部、１ｃ…放電空間、２Ｋ…陰極、２Ａ…陽極、３、４…外部リード構体、５…陰極保温膜、６…陽極保温膜、７…トリガーワイヤ、Ｃｋ…コイル部、Ｇ…電極間距離、ＳＨＬ…ショートアーク形水銀ランプ、Ｐ…電極間の中心
【図１】
2007250229.tif 000003
【図２】
2007250229.tif 000004
【図３】
2007250229.tif 000005